(57)【要約】      （修正有）【課題】防塵かつ使用寿命を高める放熱性が良い新型の庭園ライトを提供する。【解決手段】庭園ライトはポール及びランプマウント１５を含め、ランプマウント１５の中に長方形のキャビティ４を設置してあり、ランプマウント１５の両側に対称的に伸縮自在の溝５を設け、溝５の中に左右スライド可能な伸縮ロッド６を取り付け、伸縮ロッド６のキャビティ４に近い一端はキャビティ４の中に挿入し、伸縮ロッド６がキャビティ４と離れる一端にはライティング７を固定し取り付けてある。キャビティ４の中に上下にスライド可能なスライダー１０を取り付け、キャビティ４の下部のランプマウント１５の中に駆動モーター２を取り付け、駆動モーター２の出力軸に打込みねじ３を固定してある。スライダー１０の左右に対称的にエクストルド平面部９、遷移平面部１２と引っ込める平面部１１を設置する。【選択図】図１
0003201459.tif 000002
【実用新案登録請求の範囲】
【請求項１】
庭園ライトにおいて、ポール（1）及びポール（1）の上部に固定し取り付けられたランプマウント（15）を含み、そのランプマウント（15）の中に長方形のキャビティ（4）が設けられ、そのランプマウント（15）の両側に伸縮自在の溝（5）が設けられ、その伸縮自在の溝（5）には左右スライド可能な伸縮ロッド（6）が取り付けてあり、その伸縮ロッド（6）の一端はそのキャビティ（4）の中に挿入され、その伸縮ロッド（6）の他端はライティング（7）が固定し取り付けてあり、そのキャビティ（4）には上下にスライド可能なスライダー（10）が取り付けられ、そのキャビティ（4）の下部には駆動モーター（2）が取り付けてあり、その駆動モーター（2）の出力軸に打込みねじ（3）が固定してあり、その打込みねじ（3）はスライダー（10）のネジ穴に取り付けられ、そのスライダー（10）の左右にエクストルド平面部（9）、遷移平面部（12）と引っ込め平面部（11）が設けられ、その伸縮ロッド（6）の一端にはストッパー（80）が設けられ、そのストッパー（80）にリターンスプリング（8）が取り付けてあり、その伸縮自在の溝（5）の内側壁にはクッション（71）があり、その駆動モーター（2）の両側には左長溝（21）と右長溝（22）が設けられ、左長溝（21）と右長溝（22）を貫通する環状溝（20）があり、その駆動モーター（2）の外表面には放熱フィン（24）が設けられ、その放熱フィン（24）の端部がその環状溝（20）の中に挿入されることを特徴とする庭園ライト。
【請求項２】
請求項１に記載の庭園ライトにおいて、その伸縮ロッド（6）の内側にはフープ（13）が取り付けてあることを特徴とする庭園ライト。
【考案の詳細な説明】
【技術分野】
【０００１】
本実用新型は庭園照明装置に関連し、具体的には放熱性能がよい新型庭園ライトを指す。
【背景技術】
【０００２】
都市化の発展に伴い、庭園は都市の発展に不可欠な建設の一つになり、庭園照明器具は庭園建設に不可欠なものである。庭園照明器具は人間に光をもたらすだけでなく、いくつかの観賞価値を持っている。しかし、伝統てきな街灯が伸縮できない、建設現場あるいは道路に近いライトは埃だらけになりやすいから、照明光の効果に影響すると同時に、照明器具の放熱性能に大きな影響をし、照明器具の寿命を大幅に減少する。
【考案の概要】
【考案が解決しようとする課題】
【０００３】
本実用新型は解決する必要な問題が防塵かつ使用寿命を高める放熱性が良い新型の庭園ライトを提供する。
【課題を解決するための手段】
【０００４】
本実用新型は以下の技術方法で実現された：本実用新型一種の放熱性能がよい庭園ライト、その庭園ライトはポール及びポールの上部に固定し取り付けられたランプマウントを含め、そのランプマウントの中に長方形のキャビティを設置してあり、そのランプマウント両側に対称的に伸縮自在の溝を設けてあり、その伸縮自在の溝の中左右スライド可能な伸縮ロッドを取り付けてあり、その伸縮ロッドのキャビティに近い一端はそのキャビティの中に挿入し、その伸縮ロッドがキャビティと離れる一端はライティングを固定し取り付けてあり、そのキャビティの中上下にスライド可能なスライダーを取り付けている、そのキャビティの下部のランプマウントの中駆動モーターを取り付けてあり、その駆動モーターの出力軸に打込みねじを固定してあり、その打込みねじはスライダーのネジ穴と合わせて取り付けられた、そのスライダーの左右に対称的にトップダウン的にエクストルド平面部、遷移平面部と引っ込める平面部を設置してある。そのキャビティの両側のランプマウントの中にもノッチを設置してあり、その伸縮ロッドがキャビティに近い一端はストッパーを設定してあり、そのストッパーとノッチの壁にリターンスプリングを取り付けてある；その伸縮自在の溝の内側端壁にはクッションがある；その駆動モーターの両側のランプマウントの中対称的に左長溝と右長溝を設定してあり、その駆動モーター周りのランプマウントの中に左長溝と右長溝を貫通する環状溝があり、その駆動モーターの外表面には放熱フィンが横分布され、その放熱フィンのエッジがその環状溝の中に挿入する。
【０００５】
優秀な技術方策として、その伸縮ロッドの内側にフープを取り付けてある。
【考案の効果】
【０００６】
本実用新型の有益な効果は:駆動モーターを通してその打込みねじを駆動してスライダーを上下に移動させるに対して、フープはストルド平面部、遷移平面部と引っ込める平面部に移動する。フープはストルド平面部にあるとき、照明器具はリターンスプリングの弾力を克服して拡張状態に維持する；フープは引っ込める平面部にあるとき、照明器具はリターンスプリングの作用の下で引っ込める状態に維持する；フープは遷移平面部にあるとき、照明器具は拡張あるいは引っ込める状態になる；照明器具は伸縮溝までに後退すると防塵作用を果たし、道路からの埃が照明器具に溜まって照明と放熱に影響することを避け、照明器具の寿命を延ばすのに役に立つ。
【図面の簡単な説明】
【０００７】
【図１】本実用新型の放熱性能がよい新型庭園ライトの構造見取り図である。
【考案を実施するための形態】
【０００８】
図面１の通り、一種の放熱性能がよい庭園ライト、その庭園ライトはポール1及びポール1の上部に固定し取り付けられたランプマウント15を含め、そのランプマウント15の中に長方形のキャビティ4を設置してあり、そのランプマウント15両側に対称的に伸縮自在の溝5を設けてあり、その伸縮自在の溝5の中左右スライド可能な伸縮ロッド6を取り付けてあり、その伸縮ロッド15のキャビティ4に近い一端はそのキャビティ4の中に挿入し、その伸縮ロッド15がキャビティ4と離れる一端はライティング7を固定し取り付けてあり、そのキャビティ4の中上下にスライド可能なスライダー10を取り付けている、そのキャビティ4の下部のランプマウント15の中駆動モーター2を取り付けてあり、その駆動モーター2の出力軸に打込みねじ3を固定してあり、その打込みねじ3はスライダー10のネジ穴と合わせて取り付けられた、そのスライダー10の左右に対称的にトップダウン的にエクストルド平面部9、遷移平面部12と引っ込める平面部11を設置してある。そのキャビティ4の両側のランプマウント15の中にもノッチ14を設置してあり、その伸縮ロッド6がキャビティ4に近い一端はストッパー80を設定してあり、そのストッパー80とノッチ14の壁にリターンスプリング8を取り付けてある；その伸縮自在の溝5の内側端壁にはクッション71がある；その駆動モーター2の両側のランプマウント15の中対称的に左長溝21と右長溝22を設定してあり、その駆動モーター2周りのランプマウント15の中に左長溝21と右長溝22を貫通する環状溝20があり、その駆動モーター2の外表面には放熱フィン24が横分布され、その放熱フィン24のエッジがその環状溝20の中に挿入する。その駆動モーター２が稼動するとき生じした熱は放熱フィン24を通してその環状溝20の中に発散し、また貫通された左長溝21と右長溝22を通して排出される。
【０００９】
より具体的な技術方策は、その伸縮ロッド６の内側にフープ13を取り付けてある。
【００１０】
本実用新型の有益な効果は：駆動モーターを通してその打込みねじを駆動してスライダーを上下に移動させるに対して、フープはストルド平面部、遷移平面部と引っ込める平面部に移動する。フープはストルド平面部にあるとき、照明器具はリターンスプリングの弾力を克服して拡張状態に維持する；フープは引っ込める平面部にあるとき、照明器具はリターンスプリングの作用の下で引っ込める状態に維持する；フープは遷移平面部にあるとき、照明器具は拡張あるいは引っ込める状態になる；照明器具は伸縮溝までに後退すると防塵作用を果たし、道路からの埃が照明器具に溜まって照明と放熱に影響することを避け、照明器具の寿命を延ばすのに役に立つ。
【００１１】
以上はただ本実用新型の具代的な実施方法であるが、本実用新型の保護範囲はこれだけではない、あらゆる創造性付きな労働でない想像できた変化と取替えは、皆本実用新型の保護範囲以内に属するべきである。だから、本実用新型の保護範囲は権利要求書が限定した保護範囲を基準にするべきである。
【符号の説明】
【００１２】
1 ポール
4 キャビティ
5 溝
6 伸縮ロッド
15 ランプマウント
【図１】
0003201459.tif 000003